(57)【要約】【課題】ボックス本体の引き出しに連動した蓋体の開閉動作を簡単かつ低コストで実現する。【解決手段】車両用収納ボックス１は、車両のシート２とフロア３との隙間Ｓに引き出し可能に設置される上方に開口するボックス本体１０と、可撓性を有する材料から形成され、ボックス本体１０の開口１１を閉塞する蓋体２０であって、ボックス本体１０の引き出し方向Ｘにおける後端部２０ｂでボックス本体１０に連結され、前端部２０ａでシートに固定可能な蓋体２０と、を有している。【選択図】図２
2020124968.tif 000002
【特許請求の範囲】
【請求項１】
車両のシートとフロアとの隙間に引き出し可能に設置される上方に開口するボックス本体と、
可撓性を有する材料から形成され、前記ボックス本体の開口を閉塞する蓋体であって、前記ボックス本体の引き出し方向における後端部で前記ボックス本体に連結され、前端部で前記シートに固定可能な蓋体と、を有する車両用収納ボックス。
【請求項２】
前記蓋体は、前記引き出し方向に沿って設けられた少なくとも１つのスライドファスナーによって前記ボックス本体に連結されている、請求項１に記載の車両用収納ボックス。
【請求項３】
前記スライドファスナーのスライダーは、前記蓋体の前記前端部に取り付けられている、請求項２に記載の車両用収納ボックス。
【請求項４】
前記蓋体の前記前端部は、締結部材によって前記シートに固定可能である、請求項１から３のいずれか１項に記載の車両用収納ボックス。
【発明の詳細な説明】
【技術分野】
【０００１】
本発明は、車両用収納ボックスに関し、具体的には、車両のシートとフロアとの隙間に設置される引き出し式の収納ボックスに関する。
【背景技術】
【０００２】
従来から、車両のシートとフロアとの間に設置される引き出し式の収納ボックスが知られている（例えば、特許文献１，２参照）。このような収納ボックスの多くは、上方に開口するトレイ状のボックス本体から構成されているが、その開口には、内部に砂やゴミなどの異物が侵入することを抑制するための蓋体が設けられていることが好ましい。特に、狭い車内での操作性の観点から、ボックス本体の引き出しに連動して開口を開閉するように構成された蓋体が設けられていることが好ましい。
【０００３】
特許文献３には、引き出しの開閉に連動して、引き出し内に収容された収納容器の開閉蓋を自動的に開閉させる技術が記載されている。開閉蓋は磁性材料で形成され、容器本体に回転可能に連結されており、引き出しを収容するケースの天板内側に設けられた磁石の力を利用することで、引き出しの開閉に連動した開閉蓋の開閉が行われる。
【先行技術文献】
【特許文献】
【０００４】
【特許文献１】実公昭６３−４３１４９号公報
【特許文献２】特開２０１７−１１４４５８号公報
【特許文献３】実公平３−２０２７１号公報
【発明の概要】
【発明が解決しようとする課題】
【０００５】
車両用収納ボックスの蓋開閉機構として特許文献３に記載の技術を採用した場合、収納容器とは別に引き出しが必要になるだけでなく、磁石が取り付けられるケースも必要になるため、部品点数が増加してコストアップにつながるおそれがある。また、容器本体に開閉蓋を回転可能に連結するためのヒンジなどの回転機構が必要になるなど、構成も複雑になる。
【０００６】
そこで、本発明の目的は、ボックス本体の引き出しに連動した蓋体の開閉動作を簡単かつ低コストで実現する車両用収納ボックスを提供することである。
【課題を解決するための手段】
【０００７】
上上述した目的を達成するために、本発明の車両用収納ボックスは、車両のシートとフロアとの隙間に引き出し可能に設置される上方に開口するボックス本体と、可撓性を有する材料から形成され、ボックス本体の開口を閉塞する蓋体であって、ボックス本体の引き出し方向における後端部でボックス本体に連結され、前端部でシートに固定可能な蓋体と、を有している。
【０００８】
このような車両用収納ボックスによれば、ボックス本体を引き出したときに、蓋体の前端部をシートに固定させた状態で、後端部をボックス本体と共に引き出すことができる。そのため、特別な機構や部品を追加することなく、ボックス本体の引き出しに連動してボックス本体の開口を開放することができる。
【発明の効果】
【０００９】
以上、本発明によれば、ボックス本体の引き出しに連動した蓋体の開閉動作を簡単かつ低コストで実現することができる。
【図面の簡単な説明】
【００１０】
【図１】本発明の一実施形態に係る車両用収納ボックスが車内に設置された状態を示す概略図である。
【図２】本実施形態の車両用収納ボックスの概略図である。
【図３】本実施形態の車両用収納ボックスの概略分解斜視図である。
【図４】本実施形態の車両収納ボックスが引き出された状態を示す概略側面図である。
【発明を実施するための形態】
【００１１】
以下、図面を参照して、本発明の実施の形態について説明する。
【００１２】
図１（ａ）および図１（ｂ）はそれぞれ、本発明の一実施形態に係る車両用収納ボックスが車内に設置された状態を示す概略正面図および概略側面図である。図２（ａ）、図２（ｂ）、および図２（ｃ）はそれぞれ、本発明の一実施形態に係る車両用収納ボックスの概略斜視図、概略側面図、および概略正面図である。図３は、本実施形態の車両用収納ボックスの概略分解斜視図である。図４は、本実施形態の車両収納ボックスが引き出された状態を示す概略側面図である。
【００１３】
車両用収納ボックス（以下、単に「収納ボックス」ともいう）１は、概ね直方体状に形成され、車両のシート（ベンチシート）２とフロア３との隙間Ｓに引き出し可能に設置される。具体的には、収納ボックス１は、ベンチシート２の中央部分（座席と座席の間の部分）の下に、直方体の長手方向に沿って車両の前方側に引き出し可能に設置される。なお、以下の説明では、特に断らない限り、「前」または「前方」は、収納ボックス１の引き出し方向Ｘの下流側を意味し、「後」または「後方」は、同方向Ｘの上流側を意味し、「左右」は、同方向Ｘに向かって左側および右側を意味する。
【００１４】
収納ボックス１は、上方に開口する箱状のボックス本体１０と、ボックス本体１０の開口１１を閉塞する矩形状の蓋体２０とを有している。収納ボックス１は、以下で詳述するように、隙間Ｓからのボックス本体１０の引き出しに連動して蓋体２０がボックス本体１０の開口１１を開放するように構成されている。
【００１５】
ボックス本体１０と蓋体２０は、いずれも合成繊維の織物からなる。具体的には、ボックス本体１０は、板状の芯材を挟んで縫製された２層の織物からなり、その側面１０ａの周縁部にはパイピング処理が施されている。これにより、ボックス本体１０は、自立可能な剛性を有している。一方、蓋体２０は、ボックス本体１０と同様に２層の織物からなるが、その間に芯材は設けられていない。そのため、蓋体２０は可撓性を有している。
【００１６】
ボックス本体１０は、前面１０ｂに設けられた取っ手１２と、底面１０ｃのうち後方側に設けられた底鋲１３とを有している。取っ手１２は、ボックス本体１０の前面１０ｂとの間に、車両の乗員が容易に指を挿入できる程度の隙間を有している。これにより、乗員がボックス本体１０を引き出すために取っ手１２を容易に把持することができ、ボックス本体１０の引き出し性を向上させることができる。座鋲１３は、ボックス本体１０をフロア３に設置した際に車両の振動によりボックス本体１０が予期せず動いてしまうのを抑制するとともに、ボックス本体１０を引き出す際の安定性を向上させる機能を有している。なお、ボックス本体１０の前面１０ｂと底面１０ｃとの間には、比較的曲率半径の大きな曲面部１４が形成されている。この曲面部１４により、ボックス本体１０を引き出す際のフロア３との引っ掛かりが抑制され、ボックス本体１０の滑らかな引き出しが可能になる。
【００１７】
また、ボックス本体１０は、ボックス本体１０の内部を前後に仕切る仕切り部材１５を有している。仕切り部材１５は、断面がコ字状に形成され、左右の外側面に面ファスナーのフック部１７を有している。このフック部１７は、ボックス本体１０の左右の内側面１０ｄに長手方向に沿って設けられた面ファスナーのループ部１６と着脱可能に結合し、これにより、仕切り部材１５をボックス本体１０の長手方向における任意の位置に固定することが可能になる。なお、ボックス本体１０のループ部１６は、ボックス本体１０の長手方向のできるだけ広い範囲にわたって設けられていることが好ましい。これにより、仕切り部材１５をボックス本体１０内部の収納物と当接する位置に固定することも可能になり、その収納物が車両の振動により移動することを抑制することも可能になる。
【００１８】
蓋体２０は、後端部２０ａでは、縫製によってボックス本体１０に連結され、その一方、前端部２０ｂでは、ボックス本体１０は連結されていない。また、蓋体２０の左右両端部は、引き出し方向Ｘに沿って設けられた一対のスライドファスナー３０によってボックス本体１０に連結されている。すなわち、蓋体２０の左右両端部には、それぞれ蓋体２０とボックス本体１０とを連結するスライドファスナー３０が設けられている。スライドファスナー２０は、ボックス本体１０の開口１１の開口縁と蓋体２０の外縁にそれぞれ設けられた一対のエレメント列３１ａ，３１ｂと、スライダー３２とを有している。スライダー３２を前方に移動させることで、一対のエレメント列３１，３１ｂを係合させることができ、スライダー３２を後方に移動させることで、一対のエレメント列３１ａ，３１ｂの係合を解除することができる。こうして、スライダー３２を移動させてスライドファスナー３０を開閉することで、ボックス本体１０の開口１１を開閉することができる。
【００１９】
なお、蓋体２０の前端部２０ｂは、蓋体２０がボックス本体１０の開口１１を閉塞した状態では、開口１１の開口端よりも前方に突出するように設けられている。これにより、蓋体２０と開口１１との隙間からボックス本体１０の内部に砂やゴミなどの異物が侵入することを抑制することができる。また、蓋体２０の裏面には、スライドファスナー３０が紙などの異物を噛み込むことを抑制するために、各エレメント列３１ａ，３１ｂに沿って織物からなるテープ状のファスナーカバー（図示せず）が設けられている。このファスナーカバーは、スライドファスナー３０そのものと共に、蓋体２０にある程度の剛性を付与する機能も有している。
【００２０】
さらに、蓋体２０は、縫製によって前端部２０ａに連結された固定部材２１を有している。固定部材２１は、板状の芯材を挟んで縫製された２層の織物からなり、その上面に、面ファスナーのフック部２２を有している。このフック部２２は、ベンチシート２の下面にブラケットを介して設けられた面ファスナーのカール部（図示せず）と着脱可能に結合し、これにより、固定部材２１を介して蓋体２０の前端部２０ｂをベンチシート２に固定することが可能になる。
【００２１】
固定部材２１の左右両端部には、織物テープからなるループ状の連結部２３とＤ管２４とを介して、スライドファスナー３０のスライダー３２が取り付けられている。したがって、固定部材２１を介して蓋体２０の前端部２０ｂがベンチシート２に固定されると、固定部材２１に取り付けられたスライダー３２もベンチシート２に対して固定された（動かない）状態となる。そのため、この状態でボックス本体１０を隙間Ｓから引き出すと、ベンチシート２に固定されたスライダー３２がボックス本体１０に対して相対的に後方に移動してスライドファスナー３０が開放される。その結果、可撓性を有する蓋体２０は、図４に示すように、上方に捲れ上がるようにしてボックス本体１０の開口を開放することができる。
【００２２】
なお、固定部材２１は、蓋体２０の前端部２０ｂにその最前端で連結されている。そのため、ボックス本体１０の引き出しに伴う蓋体２０の捲れ上がりが容易になり、蓋体２０の開閉動作を滑らかに行うことができる。また、スライドファスナー３０のスライダー３２は、織物テープからなる連結部２３とＤ管２４とを介して固定部材２１に取り付けられている。そのため、車両の振動を連結部２３とＤ管２４とで吸収することができ、車両の振動によりスライダー３２が予期せずに移動してスライドファスナー３０が開放されてしまうことを抑制することができる。
【００２３】
以上、本実施形態の収納ボックス１によれば、ボックス本体１０を引き出したときに、蓋体２０の前端部２０ｂがベンチシート２に固定された状態で、蓋体１０の後端部２０ａをボックス本体１０と共に前方に引き出すことができる。このとき、蓋体２０は、可撓性を有しているため、上方に捲れ上がるようにしてボックス本体１０の開口１１を開放させることになる。その結果、特別な機構や部品を追加することなく、ボックス本体１０の引き出しに連動してボックス本体１０の開口１１を開放することが可能になる。なお、本実施形態では、蓋体２０とボックス本体１０との連結にスライドファスナー３０が用いられているが、このことは、蓋体２０の開閉動作を実現しながら、ボックス本体１０の内部への砂やゴミなどの異物の侵入を抑制できる点で有利である。また、蓋体２０の前端部２０ｂは、着脱可能な面ファスナーによってベンチシート２に固定されるため、容易にベンチシート２との固定を解除することができ、例えば、収納ボックス１を車外にそのまま持ち出すことも可能になる。
【００２４】
上述した実施形態では、ベンチシート２とフロア３との隙間Ｓのうち座席と座席の間の部分に収納ボックス１が設置される場合を例示したが、収納ボックス１の設置場所はこれに限定されず、座席の下の部分であってもよい。また、収納ボックス１を引き出す方向も車両の前方側に限定されず、車両の後方側であってもよい。さらに、蓋体２０の前端部２０ｂをベンチシート２に固定する締結部材としては、上述した面ファスナーに限定されず、例えば、スライドファスナー、ボタン、マグネットなどを用いることもできる。なお、上述した実施形態では、固定部材２１に面ファスナーのフック部２２が設けられ、ベンチシート２にループ部が設けられている場合を例示したが、フック部とループ部の設置場所は逆であってもよい。同様に、仕切り部材１５とボックス本体１０を固定する面ファスナーについても、ループ部とフック部の設置場所は上述した場合と逆であってもよい。
【００２５】
また、上述した実施形態では、蓋体２０の左右両側にスライドファスナー３０が設けられている場合を例示したが、スライドファスナー３０は、蓋体２０の左右両側でなく片側だけに設けられていてもよい。あるいは、一対のスライドファスナー３０の間にさらに別のスライドファスナーを設けて蓋体２０を左右２つに分割してもよい。この場合、左右両方の蓋体にそれぞれ固定部材を設置して、２つの蓋体を個別に開放するようになっていてもよい。
【符号の説明】
【００２６】
１  車両用収納ボックス
１０  ボックス本体
１０ａ  側面
１０ｂ  前面
１０ｃ  底面
１０ｄ  内側面
１１  開口
１２  取っ手
１３  底鋲
１４  曲面部
１５  仕切り部材
１６  （面ファスナーの）ループ部
１７  （面ファスナーの）フック部
２０  蓋体
２０ａ  （蓋体の）後端部
２０ｂ  （蓋体の）前端部
２１  固定部材
２２  （面ファスナーの）フック部
２３  連結部
２４  Ｄ管
【図１】
2020124968.tif 000003
【図２】
2020124968.tif 000004
【図３】
2020124968.tif 000005
【図４】
2020124968.tif 000006